(57)【要約】【課題】地面に打ち込まれた杭の垂直、水平両方向における耐力を高いものにすることができる、地面に打ち込まれた杭の耐力増強方法等を提供する。【解決手段】地面Ｇに杭１を打ち込んだ後、杭１を治具２内に挿入していくようにして螺旋翼２ａを利用して治具１を地面の所定の深さ位置まで回転圧入し、しかる後、治具２を逆回転させることで、螺旋翼２ａでそれより上方の土砂を下方に送り込みながら、杭周囲の土砂３を締め固めていく。【選択図】      図１
2005282186.tif 000002
【特許請求の範囲】
【請求項１】
地面に打ち込まれた杭を挿入できる内周サイズの筒状をしていると共に、外周側に外方に突出する螺旋翼を備えた杭周囲土締固め用治具を用い、
地面に杭を打ち込んだ後、
杭を治具内に挿入していくようにして前記螺旋翼を利用して治具を地面の所定の深さ位置まで回転圧入し、しかる後、
治具を逆回転させることで、螺旋翼でそれより上方の土砂を下方に送り込みながら、杭周囲の土砂を締め固めていくことを特徴とする、地面に打ち込まれた杭の耐力増強方法。
【請求項２】
前記杭が、先端部に外方に張り出す先端翼を備えた回転圧入式の鋼杭からなる請求項１に記載の、地面に打ち込まれた杭の耐力増強方法。
【請求項３】
治具の逆回転中、改良材又は改良材を添加した土砂を補給する請求項１又は２に記載の、地面に打ち込まれた杭の耐力増強方法。
【請求項４】
杭を挿入可能な筒状をしており、外周側に外方に突出する螺旋翼を備えていることを特徴とする、杭周囲土締固め用治具。
【発明の詳細な説明】
【技術分野】
【０００１】
本発明は、地面に打ち込まれた杭の耐力増強方法、及び、杭周囲土締固め用治具に関する。
【背景技術】
【０００２】
例えば、先端部に外方に突出する螺旋翼を備えた回転圧入式の鋼管杭では、先端翼によって地盤から受ける支持力を非常に大きなものにすることができる長所を有する反面、鋼管杭を地面に回転させながら圧入していくことで、杭周囲の土砂が先端翼によって掻き回されてしまい、そのため、鋼管杭の周面と土砂との摩擦による支持力が低下して高い垂直耐力を確保できなかったり、また、水平力に対する抵抗力が低下して高い水平耐力を確保できなかったりすることがある。
【発明の開示】
【発明が解決しようとする課題】
【０００３】
本発明は、上記のような問題点に鑑み、地面に打ち込まれた杭の垂直、水平両方向における耐力を高いものにすることができる、地面に打ち込まれた杭の耐力増強方法等を提供することを課題とする。
【課題を解決するための手段】
【０００４】
上記の課題は、地面に打ち込まれた杭を挿入できる内周サイズの筒状をしていると共に、外周側に外方に突出する螺旋翼を備えた杭周囲土締固め用治具を用い、
地面に杭を打ち込んだ後、
杭を治具内に挿入していくようにして前記螺旋翼を利用して治具を地面の所定の深さ位置まで回転圧入し、しかる後、
治具を逆回転させることで、螺旋翼でそれより上方の土砂を下方に送り込みながら、杭周囲の土砂を締め固めていくことを特徴とする、地面に打ち込まれた杭の耐力増強方法、及び、杭を挿入可能な筒状をしており、外周側に外方に突出する螺旋翼を備えていることを特徴とする杭周囲土締固め用治具によって解決される。
【０００５】
上記の方法では、杭を地面に打ち込んだ後、螺旋翼付きの筒状治具で、杭周囲の土砂が締め固められるので、杭の周面と土砂との摩擦による支持力が上昇すると共に、水平力に対する抵抗力も上昇し、杭の垂直、水平両方向における耐力を非常に高いものにすることができる。
【０００６】
しかも、杭周囲土締固め用治具は、地面に打ち込まれた杭を挿入できる内周サイズの筒状をしているので、治具周囲の螺旋翼を杭周囲の土砂に効果的に作用させることができて、杭周囲の土砂を効率良く締め固めていくことができる。
【０００７】
加えて、杭周囲土締固め用治具は、外周側に外方に突出する螺旋翼を備えているので、杭周囲の地面への回転圧入をスムーズに行っていくことができると共に、治具を逆回転することにより、上の土砂を下に送り込んで杭周囲の土砂を効果的に締め固めていくことができ、杭の垂直、水平両方向における耐力を効果的に高いものにすることができる。
【０００８】
上記の方法において、杭が、先端部に外方に張り出す先端翼を備えた回転圧入式の鋼杭からなる場合は、該鋼杭の回転圧入によって先端翼で掻き回された鋼杭周囲の土砂を締め固めることができて、鋼杭とその周囲の土砂との摩擦による支持力、及び、先端翼による先端支持力の両方で、垂直耐力を非常に高いものにすることができると共に、鋼杭周囲の締め固められた土砂で水平耐力も非常に高いものにすることができる。
【０００９】
のみならず、鋼杭の回転圧入を行った同じ回転圧入機を用いて、治具の回転圧入を行っていくことができ、杭周囲の土砂の締固めを作業効率良く行っていくことができる。
【００１０】
上記の方法において、治具の逆回転中、改良材又は改良材を添加した土砂を補給するとよい。その場合は、改良材の作用で杭周囲の土砂が改良され、垂直、水平の両耐力をより効果的に高いものにすることができる。
【発明の効果】
【００１１】
本発明は、以上のとおりのものであるから、地面に打ち込まれた杭の垂直、水平両方向における耐力を高いものにすることができる。
【発明を実施するための最良の形態】
【００１２】
次に、本発明の実施最良形態を図面に基づいて説明する。
【００１３】
図１及び図２に示す実施形態の方法は、地面Ｇに打ち込まれる杭１が、先端部に外方に突出する先端翼１ａ、例えば螺旋翼を備えた回転圧入式の鋼管杭からなる場合のもので、２が杭周囲土締固め用治具である。
【００１４】
該治具２は、地面Ｇに打ち込まれた鋼管杭１を挿入できる内周サイズの筒状をしており、かつ、外周側に外方に突出する螺旋翼２ａを備えている。また、治具２の長さ寸法は、本実施形態では、鋼管杭１よりも短く設定されている。なお、治具２の螺旋翼２ａは、治具２の全長にわたるように多段にあるいは連続状に備えられていてもよいし、一回り程度の螺旋翼を一つ備えたものなどであってもよい。
【００１５】
まず、上記の鋼管杭１を用い、図１（イ）（ロ）に示すように、図示しない回転圧入機で杭頭部に回転力と圧入力を付与することで、地面Ｇに打ち込む。この打込みの過程で、先端翼１ａが鋼管杭１の周囲の土砂３を掻き回すため、その部分の土砂３は、それよりも外方の土砂４よりも軟弱化された状態になることがある。
【００１６】
そこで次に、図１（ハ）及び図２（ニ）に示すように、治具２と、上記の鋼管杭１の回転圧入に用いた回転圧入機とを用い、鋼管杭１を治具２内に挿入していくようにして螺旋翼２ａを利用して治具２を地面Ｇの所定の深さ位置、本実施形態では、地面Ｇに打ち込まれた鋼管杭１の高さ方向中間部位置まで回転圧入する。鋼管杭１の周囲の土砂３は、鋼管杭１の打込みで掻き回されて軟弱化されている場合には、治具２の回転圧入も比較的容易に行うことができる。
【００１７】
しかる後、図２（ホ）に示すように、その治具２を逆回転させることで、螺旋翼２ａにより、矢印で示すように、それより上方の土砂を下方に送り込みながら、鋼管杭１の周囲の土砂３を締め固めていく。
【００１８】
その際、螺旋翼２ａより上方の土砂は、螺旋翼２ａによる下方への送り込みによって減少していくので、地上から土砂の補給を行うようにするのが好ましく、その場合の補給土砂は、現地の土砂であってもよいし、改良材又は改良材を添加した土砂であってもよい。例えば、改良材としての砂や、セメント系固化材、石灰などを用いることで非常に高い耐力上昇効果を得ることができる。
【００１９】
そして、治具２を逆回転させながら上昇させていくことで、鋼管杭１の周囲の土砂３を鋼管杭１の長さ方向のほぼ全長にわたって締め固めた状態にした後、図２（ヘ）に示すように、治具２を地面Ｇから抜き去る。なお、鋼管杭１の周囲の土砂を効果的に締め固めるため、治具２を正転逆転させながら昇降を複数回繰り返すようにするのもよい。こうして、鋼管杭１の周囲の土砂３が締め固められる。
【００２０】
上記の方法では、鋼管杭１を地面Ｇに打ち込んだ後、螺旋翼付きの筒状治具２で、鋼管杭周囲の土砂３を締め固るようにしているので、鋼管杭１の周面と土砂３との摩擦による支持力が上昇すると共に、水平力に対する抵抗力も上昇し、鋼管杭１の垂直、水平両方向における耐力を非常に高いものにすることができる。
【００２１】
特に、本実施形態では、杭１が、先端部に外方に張り出す先端翼１ａを備えた回転圧入式の鋼管杭からなっているので、鋼管杭１の回転圧入によって先端翼１ａで掻き回された鋼管杭周囲の土砂３を締め固めることができて、鋼杭１とその外周側の土砂３との摩擦による支持力、及び、先端翼１ａによる先端支持力の両方で、垂直耐力を非常に高いものにすることができると共に、鋼管杭１の周囲の締め固められた土砂３で水平耐力も非常に高いものにすることができる。
【００２２】
以上に、本発明の実施形態を示したが、本発明はこれに限られるものではなく、発明思想を逸脱しない範囲で各種の変更が可能である。例えば、上記の実施形態では、杭が、鋼管杭からなる場合を示しているが、その他の鋼杭であってもよい。また、杭は、先端翼の備えられていていない鋼杭であってもよいし、ＰＣ杭やＲＣ杭であってもよいし、打込みも回転圧入に限らず、打撃式であってもよいし、場所打ちコンクリート式などであってもよい。即ち、杭の外周側の土砂が杭の打込みによって掻き回されるか否かを問わず、本発明方法を実施することで、杭の外周側の土砂の締固めにより耐力を増強することができる。
【００２３】
また、上記の実施形態では、治具２の長さ寸法が、地面Ｇに打ち込まれた杭１の長さ寸法よりも短い場合を示しているが、杭１と同じ長さ寸法であってもよいし、それより長いものであってもよい。
【図面の簡単な説明】
【００２４】
【図１】図（イ）〜図（ハ）は、図２（ニ）〜（ヘ）と共に、実施形態の方法を順次に示す断面正面図である。
【図２】図（ニ）〜図（ヘ）は、図１（イ）〜（ハ）と共に、実施形態の方法を示す順次に断面正面図である。
【符号の説明】
【００２５】
１…鋼管杭（杭）
１ａ…先端翼
２…締固め用治具
２ａ…螺旋翼
【図１】
2005282186.tif 000003
【図２】
2005282186.tif 000004